【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
機器の機器ノズルに繋ぎこむベローズ形伸縮管継手を含む配管システムであって、
本管と、
前記本管の一端に接続された第１のベローズと、
前記機器から延びる前記機器ノズルに接続された第１の配管部材であって、前記本管の一端に前記第１のベローズを介して接続された前記第１の配管部材と、
一端が前記本管の側部に接続された第２の配管部材と、
前記第２の配管部材の、前記本管の側部とは反対の他端に接続された第２のベローズと、
前記第２の配管部材の他端に前記第２のベローズを介して接続された第３の配管部材と、
前記第１の配管部材の外周に固定された第１のタイロッド支持部材と、
前記第３の配管部材の外周に固定された第２のタイロッド支持部材と、
前記第１のタイロッド支持部材と前記第２のタイロッド支持部材の間を一定の距離に維持するタイロッドと、
前記本管の、前記第１のベローズの近傍部分を固定点とするために敷設されたアンカと、を有し、
前記機器ノズル、前記第１の配管部材、及び、前記本管の、前記アンカより機器ノズル側の配管部材の熱伸びに対して、前記第１及び第２のベローズの変位（収縮量）の差より発生し前記機器ノズルに伝わるベローズばね反力を最小とするため、前記第１のベローズが収縮し、かつ、前記第１及び第２のタイロッド支持フランジ間でのすべての配管部材の熱伸びによって前記第２のベローズが該第１のベローズと同じ収縮による変位（収縮量）となるように、前記第１のタイロッド支持部材と前記第２のタイロッド支持部材の間の配管部材の長さが決定されていることを特徴とする配管システム。
【請求項２】
前記機器ノズルの温度変化による変位量［ｍｍ］をＤ１、
前記第１の配管部材の、前記機器ノズルとの接続端から前記第１のタイロッド支持部材までの部分について、当該部分の長さ［ｍｍ］ をＬ１、常温からある温度まで変化したときの熱膨張率をα(L1,t)、
前記第１の配管部材の、前記第１のタイロッド支持部材の機器ノズル側とは反対の端から前記第１のベローズまでの部分について、当該部分の長さ［ｍｍ］ をＬＴ１、常温からある温度まで変化したときの熱膨張率をα(LT1,t)、
前記本管の、前記本管と前記第１のベローズの接続端から前記アンカまでの配管部分について、当該部分の長さ［ｍｍ］をＬＴ２、常温からある温度まで変化したときの熱膨張率をα(LT2,t)、
前記アンカから前記第２のベローズまでの配管部分について、当該部分の長さ［ｍｍ］をＬＴ３、常温からある温度まで変化したときの熱膨張率をα(LT3,t)、
前記第３の配管部材の、前記第３の配管部材と前記第２のベローズの接続端から前記第２のタイロッド支持部材の機器ノズル側の端までの部分について、当該部分の長さ［ｍｍ］ をＬＴ４、常温からある温度まで変化したときの熱膨張率をα(LT4,t)、
前記第１のベローズのある温度におけるばね定数［Ｎ／ｍｍ］をｋ(B1,t)、
前記第２のベローズのある温度におけるばね定数［Ｎ／ｍｍ］をｋ(B2,t)、
配管システムを吊り上げる調整力をＦ［Ｎ］
とするとき、次式
ＬＴ３＝（１＋ｋ(B1,t)／ｋ(B2,t)）・（Ｄ１／α(LT3,t)＋α(L1,t)／α(LT3,t)・Ｌ１）＋ｋ(B1,t)／ｋ(B2,t)・α(LT1,t)／α(LT3,t)・ＬＴ１＋ｋ(B1,t)／ｋ(B2,t)・α(LT2,t)／α(LT3,t)・ＬＴ２−α(LT4,t)／α(LT3,t)・ＬＴ４＋1／ｋ(B2,t)／α(LT3,t)・Ｆ＋ｋ(B1,t)／ｋ(B2,t)・α(LB1,t)／α(LT3,t)・ＬＢ１−α(LB2,t)／α(LT3,t)・ＬＢ２
を満たすことを特徴とする請求項１に記載の配管システム。
【請求項３】
前記本管はエルボ管またはティーで構成されていることを特徴とする請求項１または２に記載の配管システム。
【請求項４】
前記本管は直管で構成されていることを特徴とする請求項１に記載の配管システム。
【請求項５】
前記第２の配管部材が、前記本管の、前記アンカより機器ノズル側とは反対側における側面に接続され且つ前記本管の延長方向とは角度をなす方向に延びており、前記タイロッドがタイプレートおよびカムプレートを用いて前記角度を持って配設されていることを特徴とする請求項４に記載の配管システム。
【請求項６】
前記機器ノズルの温度変化による変位量［ｍｍ］をＤ１、
前記第１の配管部材の、前記機器ノズルとの接続端から前記第１のタイロッド支持部材までの部分について、当該部分の長さ［ｍｍ］ をＬ１、常温からある温度まで変化したときの熱膨張率をα(L1,t)、
前記第１の配管部材の、前記第１のタイロッド支持部材の機器ノズル側とは反対の端から前記第１のベローズまでの部分について、当該部分の長さ［ｍｍ］ をＬＴ１、常温からある温度まで変化したときの熱膨張率をα(LT1,t)、
前記本管の、前記本管と前記第１のベローズの接続端から前記アンカまでの配管部分について、当該部分の長さ［ｍｍ］をＬＴ２、常温からある温度まで変化したときの熱膨張率をα(LT2,t)、
前記アンカから前記第２のベローズまでの配管部分における、前記アンカから前記タイプレートに設置されている回転軸までの部分について、当該部分の長さ［ｍｍ］をＬＴ３１、常温からある温度まで変化したときの熱膨張率をα(LT31,t)、
前記アンカから前記第２のベローズまでの配管部分における、前記タイプレートに設置されている前記第２のベローズに近い方の回転軸から前記第２のベローズと前記第２の配管部材の接続端までの部分について、当該部分の長さ［ｍｍ］をＬＴ３２、常温からある温度まで変化したときの熱膨張率をα(LT32,t)、
前記第３の配管部材と前記第２のベローズの接続端から前記第２のタイロッド支持部材の機器ノズル側の端までの部分について、当該部分の長さ［ｍｍ］をＬＴ４、常温からある温度まで変化したときの熱膨張率をα(LT4,t)、
前記第１のベローズのある温度におけるばね定数［Ｎ／ｍｍ］をｋ(B1,t)、
前記第２のベローズのある温度におけるばね定数［Ｎ／ｍｍ］をｋ(B2,t)、
配管システムを吊り上げる調整力をＦ［Ｎ］
とするとき、次式
ＬＴ３１＝（１＋ｋ(B1,t)／ｋ(B2,t)）・（Ｄ１／α(LT31,t)＋α(L1,t)／α(LT31,t)・Ｌ１）＋ｋ(B1,t)／ｋ(B2,t)・α(LT1,t)／α(LT31,t)・ＬＴ１+ｋ(B1,t)／ｋ(B2,t)・α(LT2,t)／α(LT31,t)・ＬＴ２＋ｋ(B1,t)／ｋ(B2,t)・α(LB1,t)／α(LT31,t)・ＬＢ１＋１／ｋ(B2,t)／α(LT31,t)・Ｆ
を満たすことを特徴とする請求項５に記載の配管システム。
【請求項７】
前記カムプレートと一部または全部のタイロッドの代わりにプーリーとチェーンを用いることを特徴とする請求項５または６に記載の配管システム。
【請求項８】
前記本管の側面に固定され且つ前記本管の延長方向とは直角な方向に延びる支持プレートを更に有し、
前記第２の配管部材の前記一端が前記支持プレートの機器ノズル側とは反対側に接続され、且つ少なくとも２つの前記第２の配管部材が前記本管に並列に配置されており、前記第２のベローズの有効径での面積の総和が前記第１のベローズの有効径での面積に等しいことを特徴とする請求項４に記載の配管システム。
【請求項９】
前記機器ノズルの温度変化による変位量［ｍｍ］をＤ１、
前記第１の配管部材の、前記機器ノズルとの接続端から前記第１のタイロッド支持部材までの部分について、当該部分の長さ［ｍｍ］をＬ１、常温からある温度まで変化したときの熱膨張率をα(L1,t)、
前記第１の配管部材の、前記第１のタイロッド支持部材の機器ノズル側とは反対の端から前記第１のベローズまでの部分について、当該部分の長さ［ｍｍ］をＬＴ１、常温からある温度まで変化したときの熱膨張率をα(LT1,t)、
前記本管の、前記本管と前記第１のベローズの接続端から前記アンカまでの配管部分について、当該部分の長さ［ｍｍ］をＬＴ２、常温からある温度まで変化したときの熱膨張率をα(LT2,t)、
前記アンカから前記第２のベローズまでの配管部分における、前記アンカから前記第２の配管部材を前記本管に固定する支持部材までの部分について、当該部分の長さ［ｍｍ］をＬＴ３１、常温からある温度まで変化したときの熱膨張率をα(LT31,t)、
前記アンカから前記第２のベローズまでの配管部分における、前記第２の配管部材を前記本管に固定する支持部材から前記第２のベローズまでの部分について、当該部分の長さ［ｍｍ］をＬＴ３２、常温からある温度まで変化したときの熱膨張率をα(LT32,t)、
前記第３の配管部材の、前記第３の配管部材と前記第２のベローズの接続端から前記第２のタイロッド支持部材の機器ノズル側の端までの部分について、当該部分の長さ［ｍｍ］ をＬＴ４、常温からある温度まで変化したときの熱膨張率をα(LT4,t)、
前記第１のベローズのある温度におけるばね定数［Ｎ／ｍｍ］をｋ(B1,t)、
前記第２のベローズのある温度におけるばね定数［Ｎ／ｍｍ］をｋ(B2,t)、
配管システムを吊り上げる調整力をＦ［Ｎ］、
とするとき、次式
ＬＴ３１＝（１＋ｋ(B1,t)／ｋ(B2,t)）・（Ｄ１／α(LT31,t)＋α(L1,t)／α(LT31,t)・Ｌ１）＋ｋ(B1,t)／ｋ(B2,t)・α(LT1,t)／α(LT31,t)・ＬＴ１＋ｋ(B1,t)／ｋ(B2,t)・α(LT2,t)／α(LT31,t)・ＬＴ２−α(LT4,t)／α(LT31,t)・ＬＴ４＋ｋ(B1,t)／ｋ(B2,t)・α(LB1,t)／α(LT31,t)・ＬＢ１−α(LB2,t)／α(LT31,t)・ＬＢ２＋１／ｋ(B2,t)／α(LT31,t)・Ｆ−α(LT32,t)／α(LT31,t)・ＬＴ３２
を満たすことを特徴とする請求項８に記載の配管システム。